(57)【要約】  一体アンテナモジュールを有するハイブリッド回路は、回路素子を含む電子回路と、誘電体物質であって、該誘電体物質により包囲された空洞を形成する形状とされた誘電体物質及び前記誘電体物質の一方の側の導電パッチを含むアンテナモジュールとを含む。そこでは、前記回路素子は、前記誘電体物質により包囲されており、前記回路の素子は、前記誘電体物質により形成された前記空洞の内側に配置されるようになっている。【選択図】図１
2012517759.tif 000002
【特許請求の範囲】
【請求項１】
一体アンテナモジュールを有するハイブリッド回路であって、
回路素子を含む電子回路と、
アンテナモジュールと、
を含み、前記アンテナモジュールは、
誘電体物質であって、該誘電体物質により包囲された空洞を形成するような形状とされた誘電体物質と、
前記誘電体物質の一方の側にある導電パッチと、
を備えており、
前記回路素子は、前記誘電体物質により包囲されており、前記回路の前記素子は、前記誘電体物質により形成された前記空洞の内側に配置されている、ハイブリッド回路。
【請求項２】
前記空洞に面した前記誘電体物質の他方の側に接地パッチを更に備える、請求項１に記載のハイブリッド回路。
【請求項３】
前記誘電体物質により形成された前記空洞に対するカバーとして作用する基板を更に備えており、前記回路素子は、該素子が前記空洞へと延長するようにして、前記基板に埋め込まれている、請求項１に記載のハイブリッド回路。
【請求項４】
前記回路素子は、該素子が前記空洞へと延長するようにして、前記接地パッチに隣接した相互接続層に埋め込まれている、請求項１に記載のハイブリッド回路。
【請求項５】
前記相互接続層は、前記アンテナの接地として作用する、請求項４に記載のハイブリッド回路。
【請求項６】
前記相互接続層は、前記アンテナの接地に結合される、請求項４に記載のハイブリッド回路。
【請求項７】
前記アンテナは、ＧＰＳアンテナ又は携帯電話アンテナとして作用するように適応される、請求項１に記載のハイブリッド回路。
【請求項８】
前記空洞は、前記回路素子を取り囲む充填物質で満たされる、請求項１に記載のハイブリッド回路。
【請求項９】
前記充填物質は、中実ハイブリッド回路を形成するように固化される、請求項８に記載のハイブリッド回路。
【請求項１０】
前記ハイブリッド回路の幅及び長さは、各々、前記ハイブリッド回路の厚さのサイズの少なくとも２倍である、請求項１に記載のハイブリッド回路。
【請求項１１】
前記導電パッチ及び前記接地パッチは、同じサイズ及び形状を有する、請求項１に記載のハイブリッド回路。
【請求項１２】
前記導電パッチ及び前記接地パッチは、サイズが異なっている、請求項１に記載のハイブリッド回路。
【請求項１３】
前記導電パッチ及び前記接地パッチは、形状が異なっている、請求項１に記載のハイブリッド回路。
【請求項１４】
前記電子回路は、前記誘電体物質を通して前記導電プレートに接続される、請求項１に記載のハイブリッド回路。
【請求項１５】
前記電子回路は、前記誘電体物質の周りに延びる接続でもって前記導電プレートに接続される、請求項１に記載のハイブリッド回路。
【発明の詳細な説明】
【技術分野】
【０００１】
本発明は、アンテナモジュールハイブリッド回路に関する。
【背景技術】
【０００２】
現在、人々は、多くの電子装置、例えば、携帯電話、ＧＰＳナビゲーションシステム、ラジオ、ＭＰ３プレーヤー、ＰＤＡ、ラップトップコンピュータ、デジタルカメラ、移動ＴＶ及びその他の多くの装置を、日常的に使用している。製造者にとって共通の関心は、それら装置を制御する回路のサイズを減少させることである。何故ならば、ユーザの関心が、容易に持ち回れるような小型で軽量な装置にあるからである。それに加えて、複数の装置を単一の装置に置き換えることができるように、それら装置を組み合わせることにも関心がある。こうすれば、ユーザは、以前に持ち回っていた複数の装置の機能を遂行する単一の軽量な装置を、持ち運ぶだけでよくなる。
【０００３】
それら装置を小型化するために、製造者は、単一チップ又は小型化パッケージにおいてその装置の完全な機能を与えるハイブリッド回路又はマルチチップモジュールを製造している。一般的に、全装置を単一チップ又はパッケージへと集積すると、コスト、サイズ、重量、電力消費及びその他のファクタの点で効果的である。
【発明の概要】
【発明が解決しようとする課題】
【０００４】
全ワイヤレスシステム（例えば、Ｗｉ−Ｆｉ、ブルーツース、携帯電話）を単一ハイブリッド回路パッケージへと集積する上で製造者が直面している１つの問題がある。一般的に、製造者は、アンテナを除いて、装置の全ての回路素子を、単一チップ又はハイブリッド回路カプセル内へと集積するようにしている。アンテナは、満足な性能を与えるためにサイズの制約を受けるので、アンテナが除外されるのが一般的である。その上、アンテナは、その回路からの干渉を受け、又、その回路及びパッケージングのため低利得となってしまう。
【課題を解決するための手段】
【０００５】
本発明の実施形態の態様は、電子回路及びアンテナモジュールの包囲体から電子回路の素子が突出しないようにして、その電子回路の素子を取り囲む包囲体を形成するような形状とされたアンテナモジュールを含むハイブリッド回路に関する。任意であるが、前記アンテナモジュールは、パッチ導電層及び接地層を含み、これら２つの層の間に誘電体物質が配置される。本発明の幾つかの実施形態では、前記接地層は省略される。前記誘電体物質は、アンテナの包囲体の内側に電子素子を収容するための空洞を前記接地層の下に有するような包囲体を形成するような形状とされる。本発明の幾つかの実施形態では、前記誘電体物質は、長方形又は正方形形状のフットプリントを有するボックスを形成している。別の仕方として、前記フットプリントは、他の形状、例えば、円形又は楕円形とすることができる。
【０００６】
本発明の幾つかの実施形態では、前記電子素子は、基板、例えば、ＰＣＢ（印刷回路板）上に配設され、前記アンテナは、前記基板から突出した前記電子素子をカバーし、前記基板が前記アンテナにより形成された前記包囲体のための蓋として作用するようにしている。別の仕方として、前記電子素子は、前記アンテナの包囲体の内側の相互接続層上に配設され、ある表面上に取り付けられるとき、前記回路が完全に包囲されるようにしている。本発明の幾つかの実施形態では、前記相互接続層は、前記アンテナの前記接地層の背面に配設される。別の仕方として、前記相互接続層は、前記アンテナの前記接地層としても作用する。
【０００７】
本発明の典型的な実施形態では、前記パッチ導電層は、前記誘電体物質の上に印刷される。別の仕方として、前記パッチ導電層は、前記誘電体層に取り付けられる薄い金属層である。
【０００８】
本発明の典型的な実施形態では、前記アンテナの内部空洞、例えば、前記回路と前記接地プレートとの間の空間又は前記接地プレートと前記誘電体物質の端部までとの間の空間は、充填物質で満たされる。前記充填物質は、例えば、外部圧力に耐えることのできる頑丈な中実ユニットを形成するようにエポキシ樹脂で形成される。本発明の幾つかの実施形態では、前記パッチアンテナ及び回路は、前記充填物質により、その固化後に一緒に保持される。本発明の幾つかの実施形態では、前記パッチアンテナ及び回路は、付加的な包装体により取り囲まれ、頑丈なモノリシックパッケージを形成するように前記充填物質で満たされる。別の仕方として、前記パッチアンテナ及び回路は、中実モノリシックパッケージを形成するように充填物質を注入し固化したときに、モールド内に配設される。
【０００９】
本発明の典型的な実施形態では、前記回路と前記パッチアンテナとの間の距離を短くすることにより、ノイズを減少させ、前記アンテナから前記回路により受け取られる信号の減衰を防止するようにしている。
【００１０】
本発明の幾つかの実施形態では、複数の機能のための回路を提供するため、例えば、ＧＰＳ用及びＧＰＲＳ用アンテナを提供するため、２つ以上のアンテナを前記回路に一体化する。
【００１１】
任意であるが、単一物理装置のフットプリントは、１００ｍｍｘ１００ｍｍ、２０ｍｍｘ２０ｍｍ、又は更に１０ｍｍｘ１０ｍｍより小さい。本発明の典型的な実施形態では、単一物理装置のフットプリントの幅及び長さは、各々、その単一物理装置の厚さのサイズの少なくとも２倍である。
【００１２】
従って、本発明の典型的な実施形態によれば、一体アンテナモジュールを有するハイブリッド回路において、
回路素子を含む電子回路と、
アンテナモジュールと、
を含み、前記アンテナモジュールは、
誘電体物質であって、該誘電体物質により包囲された空洞を形成するような形状とされた誘電体物質と、
前記誘電体物質の一方の側にある導電パッチと、
を備えており、
前記回路素子は、前記誘電体物質により包囲されており、前記回路の前記素子は、前記誘電体物質により形成された前記空洞の内側に配置されているようなハイブリッド回路が提供される。
【００１３】
本発明の典型的な実施形態では、前記ハイブリッド回路は、更に、前記空洞に面した前記誘電体物質の他方の側に接地パッチを含む。任意であるが、前記ハイブリッド回路は、更に、前記誘電体物質により形成された前記空洞に対するカバーとして作用する基板を含み、そして、前記回路素子は、該素子が前記空洞へと延長するようにして、前記基板に埋め込まれている。本発明の典型的な実施形態では、前記回路素子は、該素子が前記空洞へと延長するようにして、前記接地パッチに隣接した相互接続層に埋め込まれている。任意であるが、前記相互接続層は、前記アンテナの接地として作用する。本発明の典型的な実施形態では、前記相互接続層は、前記アンテナの接地に結合される。任意であるが、前記アンテナは、ＧＰＳアンテナ又は携帯電話アンテナとして作用するように適応される。本発明の典型的な実施形態では、前記空洞は、前記回路素子を取り囲む充填物質で満たされる。任意であるが、前記充填物質は、中実ハイブリッド回路を形成するように固化される。本発明の典型的な実施形態では、前記ハイブリッド回路の幅及び長さは、各々、前記ハイブリッド回路の厚さのサイズの少なくとも２倍である。任意であるが、前記導電パッチ及び前記接地パッチは、同じサイズ及び形状を有する。本発明の典型的な実施形態では、前記導電パッチ及び前記接地パッチは、サイズが異なっている。任意であるが、前記導電パッチ及び前記接地パッチは、形状が異なっている。本発明の典型的な実施形態では、前記電子回路は、前記誘電体物質を通して前記導電プレートに接続される。任意であるが、前記電子回路は、前記誘電体物質の周りに延びる接続でもって前記導電プレートに接続される。
【００１４】
本発明は、添付図面に関連して以下になされる詳細な説明からより良く理解されよう。２つ以上の図に現れている同一の構造体、素子又は部分は、一般的に、それらが現れる全ての図において同じ又は同様の参照番号で示されている。
【図面の簡単な説明】
【００１５】
【図１】本発明の典型的な実施形態による、電子回路と、前記電子回路を包囲する一体パッチアンテナと、を含むハイブリッド回路の横断面の概略図である。
【図２】本発明の典型的な実施形態による一体パッチアンテナの上面の概略図である。
【図３Ａ】本発明の典型的な実施形態による一体パッチアンテナの底面の概略図である。
【図３Ｂ】本発明の典型的な実施形態による一体パッチアンテナの別の底面の概略図である。
【図３Ｃ】本発明の典型的な実施形態による一体パッチアンテナの更に別の底面の概略図である。
【図４】本発明の典型的な実施形態による、電子回路及び一体パッチアンテナを含む別のハイブリッド回路の横断面の概略図である。
【発明を実施するための形態】
【００１６】
図１は、本発明の典型的な実施形態による、電子回路１８０及び一体平面パッチアンテナ１５０を含むハイブリッド回路１００の横断面の概略図である。本発明の典型的な実施形態では、基板１１０（例えば、ＰＣＢ−印刷回路板）が、回路１００を準備するためのベースとして使用される。別の仕方として、回路１００のためのベースとして作用するための他の物質又は構成を使用することができる。本発明の典型的な実施形態では、回路１００を構成するため、種々なタイプの回路素子１２５が使用され、例えば、回路素子１２５は、
１．受動デバイス（例えば、抵抗、キャパシタ）
２．動作するのに電源を必要とする能動デバイス（例えば、集積回路、トランジスタ）、又は
３．他の素子、例えば、個別素子（例えば、ダイオード）
を含むことができる。
【００１７】
任意であるが、ある素子は、基板１１０に埋め込まれ、ある素子は、基板１１０上にサーフェスマウントされ、そして、あるものは、基板１１０の孔へはめ込まれてそこに半田付けされ、又は、当業者に知られた他の方法により基板１１０へ接続される。任意であるが、基板１１０は、種々な物質、例えば、ガラスエポキシ、アルミナ、テフロン又は他のタイプのセラミック、ガラスセラミック、ポリマーで与えられても良いし、又は、金属リードフレームとして与えられても良い、本発明の典型的な実施形態では、回路１００には、ハイブリッド回路１００により形成されたモジュールと他の回路又は装置との間の接続を行うための１つ以上のコンタクト１１５が設けられる。本発明の幾つかの実施形態では、コンタクト１１５は、ボールグリッドアレイコンタクト（ＢＧＡ）、ランドグリッドアレイ（ＬＧＡ）又は他のタイプのコンタクトである。任意であるが、これらコンタクトは、回路の隅部にあっても、中央部にあっても、周辺部にあってもよく、又は、基板１１０の下の他の任意の位置にあってもよい。
【００１８】
本発明の典型的な実施形態では、回路１００は、ＧＰＳ（グローバルポジショニングシステム）装置、携帯電話（例えば、ＧＰＲＳ／ＧＳＭ）装置、ワイヤレスネットワーク（Ｗｉ−Ｆｉ）装置又は他のタイプの装置のための機能を与えるように実施され、これら装置は、０．０１ＧＨｚと１００ＧＨｚとの間に亘る周波数での通信を必要とするものであり、例えば、無線周波数では、約８０ＭＨｚ、ＧＰＳでは、約１．５ＧＨｚ、Ｗｉ−Ｆｉでは、約２．４ＧＨｚ、レーダーでは、約７０ＧＨｚである。本発明の典型的な実施形態では、パッチアンテナ１５０は、ハイブリッド回路１００の一体部分として送受信を行う能力を与えるように、ルーフオーバー素子１２５として取り付けられる。本発明の典型的な実施形態では、パッチアンテナ１５０は、導体プレート１５５、及び任意であるが平行接地プレート１４０で形成される。任意であるが、フィードライン１６０は、アンテナ１５０により与えられる信号を取り扱うため、導体パッチプレート１５５と電子回路１８０との間の導電接続として作用する。本発明の典型的な実施形態では、導体プレート１５５は、単一平面に配設されたワイヤフレームを含み、正方形、平行四辺形、台形、四辺形、円形、楕円形、又は他の平面形状とされている。任意であるが、接地プレート１４０は、導体プレート１５５と同様の形状である。本発明の典型的な実施形態では、誘電体物質１４５は、使用される誘電体物質の組成に依存して、プレート（１４０、１５５）に対して必要とされるサイズを減少させるように、それらプレートの間に配設される。本発明の幾つかの実施形態では、接地プレート１４０、導体プレート１５５は、等しいサイズである。別の仕方として、一方の層の方が、他方の層より大きくてもよく、又は両方の層のサイズが異なってもよい。本発明の幾つかの実施形態では、接地プレート１４０は省略される。本発明の典型的な実施形態では、誘電体層は、電子回路１８０の電子素子を収容するための空洞を有する包装体を形成するように、導体プレート１５５及び接地プレート１４０のサイズを越えて延長している。
【００１９】
本発明の幾つかの実施形態では、パッチアンテナ１５０は、誘電体アンテナとして与えることができ、ここで、導体プレート１５５は、接地プレートに比してより小さく、又は、導体プレート１５５は、誘電体１４５又は接地プレート１４０に比して無視できる程のサイズのポイントであり、誘電体１４５は、本質的にアンテナレセプタとして作用する。
【００２０】
典型的に、プレートの間に真空を有するパッチアンテナは、使用される送信信号の波長のサイズの約半分の長さを有する導体プレート１５５を必要とするのが一般的であり、例えば、ほぼ１．５から１．６ＧＨｚの周波数を使用するＧＰＳの場合には、半波長は、約９５ｍｍであり、これは、ハイブリッド回路におけるパッチアンテナ１５０として実施するには僅かに大きい。誘電体物質１４５、高ｋテープＣＴ７６５（米国ペンシルバニア州のヘレウス社により製造）、又はシリーズ４１２ＸＸからの低温度キャパシタテープ（米国ペンシルバニア州のＥＳＬエレクトロサイエンスにより製造）、又は他の誘電体物質の組合せを使用することにより、その最適サイズを、１０倍までも減少させることができる。かくして、パッチアンテナ１５０のために、約１０ｍｍｘ１０ｍｍのサイズは、ＧＰＳアンテナとして作用するに十分であろう。次の式は、誘電率に基づくパッチアンテナのための必要長さを決定するための一般的計算式である。
Ｌ＝Ｃ／２ｆ（ε）１／２
ここで、Ｌ＝パッチサイズ長さ、Ｃ＝光の速度、ｆ＝考察中の波周波数、εは、誘電率である。
【００２１】
本発明の典型的な実施形態では、パッチアンテナ１５０の厚さは、送信周波数に依存している。何故ならば、その厚さは、必要とされるサイズ減少の量に関連しているからである。任意であるが、もし、サイズ減少の必要がより小さい場合には、より薄い誘電体物質で十分であろう。これに加えて、パッチアンテナ１５０の厚さは、使用される物質にも依存しており、ある物質では、より薄いプレート及び誘電体物質１４５のより薄い層で機能し、例えば、導体プレート１５５は、Ｃｕ（銅）、Ａｕ（金）、Ａｇ（銀）、ＡｇＰｄ（銀パラジウム）又は他の金属で形成された薄い（例えば、１ミクロンから１ミリメートル）プレートで与えられ、接地プレート１４０は、薄い（例えば、１ミクロンから１ミリメートル）Ｃｕ、Ａｕ、Ａｇ又はＡｇＰｄプレートで与えられることもできる。同様に、誘電体物質の厚さは、使用される誘電体物質のタイプに依存しており、例えば、０．１ｍｍから２ｍｍまでの間又は５ｍｍ又は１０ｍｍの厚さでさえ必要とされる。本発明の幾つかの実施形態では、導体プレート１５５及び接地プレート１４０は、導体アンテナ１５０の厚さを減少するため、誘電体物質上の金属コーティング（例えば、１から１００ミクロンの厚さを有する）として与えられる。任意であるが、ハイブリッド回路１００のパッケージングは、他の回路において容易に実施できるように、当業分野において利用できるモジュラーパッケージに適合すべく選択される。本発明の典型的な実施形態では、典型的なハイブリッド回路１００のフットプリントのサイズは、約５ｍｍｘ５ｍｍから約１００ｍｍｘ１００ｍｍまで変えることができ、その厚さは、約１ｍｍから約１０ｍｍまで変えることができる。本発明の幾つかの実施形態では、ハイブリッド回路１００は、種々な形状のフットプリント、例えば、長方形、台形、円形、楕円形又は他の形状としてパッケージされる。任意であるが、パッチアンテナ１５０のサイズは、電子回路１８０のサイズとほぼ同じであるように設計され、又、その逆であるようにも設計され、例えば、電子回路１８０は、パッチアンテナ１５０とほぼ同じサイズとなるように拡大され、又は、パッチアンテナ１５０のサイズは、電子回路１８０のサイズとほぼ同じとなるように拡大される。本発明の典型的な実施形態では、ハイブリッド回路１００のフットプリントの幅及び長さは、ハイブリッド回路１００の厚さの少なくとも２倍である。
【００２２】
任意であるが、ハイブリッド回路１００は、パッチアンテナ１５０と電子回路１８０との間に接続１２０を有しており、この接続１２０により、電子回路１８０からパッチアンテナ１５０へと信号を与えることができ、且つパッチアンテナ１５０からの信号をフィードライン１６０を介して電子回路１８０へと受信できるようにしている。任意であるが、接地プレート１４０は、接続１３０により基板１１０へ接続される。
【００２３】
図２は、本発明の典型的な実施形態によるパッチアンテナ１５０の上面の概略図である。
【００２４】
図３Ａは、本発明の典型的な実施形態によるパッチアンテナ１５０の底面の概略図である。本発明の典型的な実施形態では、パッチアンテナ１５０は、パッチアンテナ１５０の底部の周辺のまわりに接地コネクタ３１０を含む。これら接地コネクタ３１０により、接続１３０を介して電子回路１８０を接地プレート１４０へ接続することができる。任意であるが、フィードライン１６０は、電子回路１８０をパッチアンテナ１５０の導体プレート１５５へ接続できるようにしている。本発明のいくつかの実施形態では、接地プレート１４０が省略されていて、接地コネクタ３１０は、誘電体物質１４５へ直接に接続される。本発明の典型的な実施形態では、接地プレート１４０が省略されるとき、電子回路１８０の接地は、そのアンテナの利得を改善するように、アンテナ接地としても作用する。
【００２５】
図３Ｂは、パッチアンテナ１５０の別の底面の概略図であり、図３Ｃは、本発明の典型的な実施形態による一体パッチアンテナの更に別の底面の概略図である。本発明の典型的な実施形態では、フィードライン１６０は、接地プレート１４０の表面上（図３Ｂ）又は誘電体物質１４５の表面上においてパッチアンテナと平行に延長しており、そこでは、接地プレートのラインを除去することにより、パスが排除されている。フィードラインは、誘電体物質１４５の底部にてパッチコネクタ３２０を形成しており、電子回路１８０が、接地コネクタ３１０と同様に、パッチアンテナ１５０の中央における接続１２０を使用せずに、導体プレート１５５に接触できるようにしている。本発明の幾つかの実施形態では、導体プレート１５５と電子回路１８０との間の接続が、任意の他の位置にてなされるように設計することができる。本発明の幾つかの実施形態では、接地プレート１４０は、図３Ｃに示されるように、パッチコネクタ３２０の下に位置される。
【００２６】
図４は、本発明の典型的な実施形態による一体パッチアンテナを有する別のハイブリッド回路１０１の横断面の概略図である。本発明の典型的な実施形態では、ハイブリッド回路１０１は、導体パッチ１５５、接地プレート１４０及び誘電体物質１４５を含むハイブリッド回路１００と同様である。しかしながら、このハイブリッド回路１０１では、電子回路４２０は、電子回路１８０の場合のように接地プレート１４０によりカバーされる代わりに、接地プレート１４０の背面に配設されている。任意であるが、相互接続層４１０が接地プレート１４０に結合され、回路素子１２５は、その相互接続層に配設される。
【００２７】
本発明の幾つかの実施形態では、接地プレート１４０は、電子回路４２０の相互接続層として作用する。別の仕方として、接地プレート１４０が省略され、相互接続層４１０は、誘電体物質１４５に直接に配設される。任意であるが、相互接続層４１０は、基板として作用するに適した物質（例えば、ヘレウスにより製造されるＣＴ７６５及びＣＴ７０７の如き物質の混合物又はＦＲ４等）で形成される。
【００２８】
ハイブリッド回路１００と同様に、ハイブリッド回路１０１においても、種々なタイプの回路素子１２５が使用され、例えば、回路素子１２５は、
１．受動デバイス（例えば、抵抗、キャパシタ）
２．動作するのに電力源を必要とする能動デバイス（例えば、集積回路、トランジスタ）、又は
３．他の素子、例えば、個別素子（例えば、ダイオード）
を含むことができる。
【００２９】
任意であるが、ある素子は、相互接続層４１０に埋め込まれ、ある素子は、相互接続層４１０上にサーフェスマウントされ、そして、あるものは、相互接続層４１０の孔へはめ込まれてそこに半田付けされ、又は、当業者に知られた他の方法により相互接続層４１０へ接続される。本発明の典型的な実施形態では、回路１０１には、ハイブリッド回路１０１により形成されたモジュールと他の回路又は装置との間の接続を行うための１つ以上のコンタクト１１５が設けられる。本発明の幾つかの実施形態では、コンタクト１１５は、ボールグリッドアレイコンタクト（ＢＧＡ）、ランドグリッドアレイ（ＬＧＡ）又は他のタイプのコンタクトである。任意であるが、これらコンタクトは、回路の隅部にあっても、中央部にあっても、又は、ハイブリッド回路１０１の下の他の任意の位置にあってもよい。
【００３０】
本発明の典型的な実施形態では、ハイブリッド回路１０１は、ＧＰＳ（グローバルポジショニングシステム）装置、携帯電話（例えば、ＧＰＲＳ／ＧＳＭ）装置、ワイヤレスネットワーク（Ｗｉ−Ｆｉ）装置又は他のタイプの装置のための機能を与えるように実施され、これら装置は、０．０１ＧＨｚと１００ＧＨｚとの間に亘る周波数での通信を必要とするものであり、例えば、無線周波数では、約８０ＭＨｚ、ＧＰＳでは、約１．５ＧＨｚ、Ｗｉ−Ｆｉでは、約２．４ＧＨｚ、レーダーでは、約７０ＧＨｚである。本発明の典型的な実施形態では、パッチアンテナ１５０は、導体プレート１５５及び平行接地プレート１４０で形成される。任意であるが、フィードライン１６０は、アンテナ１５０により与えられる信号を取り扱うため、導体パッチプレート１５５と電子回路４２０との間の導電接続として作用する。本発明の典型的な実施形態では、導体プレート１５５は、単一平面に配設されたワイヤフレームを含み、正方形、平行四辺形、台形、四辺形、円形、楕円形、又は他の平面形状とされている。任意であるが、接地プレート１４０は、導体プレート１５５と同様の形状である。本発明の典型的な実施形態では、誘電体物質１４５は、使用される誘電体物質の組成に依存して、プレート（１４０、１５５）に対して必要とされるサイズを減少させるように、それらプレートの間に配設される。本発明の幾つかの実施形態では、接地プレート１４０、導体プレート１５５及び誘電体１４５は、全て等しいサイズである。別の仕方として、一方の層の方が、他方の層より大きくてもよく、又は全ての層のサイズが異なってもよい。
【００３１】
任意であるが、ハイブリッド回路１０１は、アンテナ誘電体を通して接地プレート１４０と外部装置との間の接続を許すような接続１３０を有する。
【００３２】
前述した方法及び装置は、ステップを省略したり追加したり、ステップの順序及び使用される装置のタイプを変えたりすることを含めて多くの仕方において変更することができることは理解されよう。異なる特徴を異なる仕方にて組み合わせることができることも理解されたい。特に、特定の実施形態において前述した特徴のどれもが、本発明のどの実施形態においても、必ず必要というものではない。前述の特徴の更なる組合せも、本発明の幾つかの実施形態の範囲内に入るものと考えられる。
【００３３】
本発明は、特定的に示し前述したようなもの限定されるものではないことは、当業者には理解されよう。むしろ、本発明の範囲は、特許請求の範囲の記載によってのみ限定されるものである。
【符号の説明】
【００３４】
１００・・・ハイブリッド回路、１０１・・・ハイブリッド回路、１１０・・・基板、１１５・・・コンタクト、１２０・・・接続、１２５・・・回路素子（ルーフオーバー素子）、１３０・・・接続、１４０・・・平行接地プレート、１４５・・・誘電体物質、１５０・・・一体平面パッチアンテナ（導体アンテナ）、１５５・・・導体プレート（導体パッチプレート）、１６０・・・フィードライン、１８０・・・電子回路、３１０・・・接地コネクタ、３２０・・・パッチコネクタ、４１０・・・相互接続層、４２０・・・電子回路
【図１】
2012517759.tif 000003
【図２】
2012517759.tif 000004
【図３Ａ】
2012517759.tif 000005
【図３Ｂ】
2012517759.tif 000006
【図３Ｃ】
2012517759.tif 000007
【図４】
2012517759.tif 000008
【国際調査報告】
2012517759.tif 000009